(57)【要約】【課題】本体部に付着した液や塵を拭き取り易くするとともに、ユーザが手に持ちやすい形状とする。【解決手段】軸方向一端４ａから電極部２が延出し、軸方向他端４ｂからケーブル３が延出した本体部４を有するものであり、前記本体部４の外観形状が、軸方向一端４ａから軸方向他端４ｂに亘って滑らかに連なる曲面形状をなすことを特徴とする。【選択図】図１
2012211871.tif 000002
【特許請求の範囲】
【請求項１】
軸方向一端から電極部が延出し、軸方向他端からケーブルが延出した本体部を有し、
前記本体部の外観形状が、軸方向一端から軸方向他端に亘って滑らかに連なる曲面形状をなすことを特徴とするイオン濃度測定電極。
【請求項２】
前記本体部の外観形状が、前記電極部の外観形状に合わせて、軸方向中央部から軸方向一端に行くに従って徐々に窄まる曲面形状である請求項１記載のイオン濃度測定電極。
【請求項３】
前記本体部の外観形状が、前記ケーブルの外観形状に合わせて、軸方向中央部から軸方向他端に行くに従って徐々に窄まる曲面形状である請求項１又は２記載のイオン濃度測定電極。
【請求項４】
前記本体部が、内部液を注入するための注液口を有さず、前記電極部が、前記注液口を有する請求項１、２又は３記載のイオン濃度測定電極。
【請求項５】
前記本体部が前記電極センサの識別ラベルを貼り付ける貼り付け凹部を有しており、前記識別ラベルを前記貼り付け凹部に張り付けた状態で、前記本体部の外観形状が軸方向一端から軸方向他端に亘って滑らかに連なる曲面形状をなすものである請求項１、２、３又は４記載のイオン濃度測定電極。
【発明の詳細な説明】
【技術分野】
【０００１】
本発明は、例えばｐＨ電極などのイオン選択性電極を用いてサンプル中のイオン濃度を測定するイオン濃度測定電極に関するものである。
【背景技術】
【０００２】
従来のイオン濃度測定電極としては、例えば特許文献１に示すように、長手方向一端から電極部が延出し、軸方向他端からケーブルが延出した本体部を有するものがある。そしてこの本体部には、電極部内の内部液を注液するための注液口が設けられている。また、本体部には、前記注液口を塞ぐための蓋体が設けられている。このように従来のイオン濃度測定電極の本体部は、蓋体等から形成される凹凸構造を有している。
【０００３】
しかしながら、このような本体部を有するイオン濃度測定電極では、内部液が本体部の外面に付着した場合やサンプルである液体が本体部の外面に付着した場合に、凹凸構造が邪魔となり、付着液が拭き取りにくく、また凹凸構造の隅部に付着液が残存してしまうという問題がある。また、本体部に塵が付着した場合にも、付着液と同様に、拭き取りにくく、凹凸構造の隅部に塵が残存してしまうという問題がある。さらに、イオン濃度測定電極を手に持った際に、凹凸構造の角部が指に当たる等により持ちにくいといった問題もある。
【先行技術文献】
【特許文献】
【０００４】
【特許文献１】特開２００３−１０７０３２号公報
【発明の概要】
【発明が解決しようとする課題】
【０００５】
そこで本発明は、本体部に付着した液や塵を拭き取り除去し易くするとともに、ユーザが手に持ちやすい形状とすることをその主たる所期課題とするものである。
【課題を解決するための手段】
【０００６】
すなわち本発明に係るイオン濃度測定電極は、軸方向一端から電極部が延出し、軸方向他端からケーブルが延出した本体部を有するイオン濃度測定電極であって、前記本体部の外観形状が、軸方向一端から軸方向他端に亘って滑らかに連なる曲面形状をなすことを特徴とする。
【０００７】
このようなものであれば、本体部の外観形状が軸方向一端から軸方向他端に亘って滑らかに連なる曲面形状であるので、本体部に余計な凹凸や継ぎ目等の無い形状であり、本体部に付着した液や塵を拭き取り除去し易くすることができる。また、滑らかな曲面形状であることから、ユーザが手に持った際に凹凸の角部が指に当たることもなく、イオン濃度測定用電極を手に持ちやすくすることができる。さらに本体部が滑らかな曲面形状であることから、ユーザが視覚的に美しく感じることができ、購買意欲を向上させることもできる。
【０００８】
電極部と本体部との間に形成される段差を可及的に小さくして、その段差に液溜まりが生じること又は塵が付着することを防止するためには、前記本体部の外観形状が、前記電極部の外観形状に合わせて、軸方向中央部から軸方向一端に行くに従って徐々に窄まる曲面形状であることが望ましい。特に軸方向一端は電極部側であることから液が付着し易いところ、上記のように構成すれば液溜まりを好適に防止することができる。
【０００９】
本体部とケーブルとの間に形成される段差を可及的に小さくして、その段差に液溜まりが生じること又は塵が付着することを防止するためには、前記本体部の外観形状が、前記ケーブルの外観形状に合わせて、軸方向中央部から軸方向他端に行くに従って徐々に窄まる曲面形状であることが望ましい。特に軸方向他端はケーブル側であり上方を向くことから塵が付着し易いところ、上記のように構成すれば塵の付着を好適に防止することができる。
【００１０】
本体部に注液口を設ける場合には、それを塞ぐ蓋体を設ける必要があることから、蓋体を含めて本体部を曲面形状に加工する必要があり、その構造が難しくなるだけでなく、製造コストもかかってしまう。この問題を解決するためには、前記本体部が、内部液を注入するための注液口を有さず、前記電極部が、前記注液口を有することが望ましい。
【００１１】
前記本体部が前記電極センサの識別ラベルを貼り付ける貼り付け凹部を有しており、前記識別ラベルを前記貼り付け凹部に張り付けた状態で、前記本体部の外観形状が軸方向一端から軸方向他端に亘って滑らかに連なる曲面形状をなすものであることが望ましい。
【発明の効果】
【００１２】
このように構成した本発明によれば、本体部に付着した内部液、サンプル液や塵を拭き取ることでそれらを本体部表面から除去し易くするとともに、本体部表面に凹凸の無いユーザが手に持ちやすい形状とすることができる。
【図面の簡単な説明】
【００１３】
【図１】本実施形態のイオン濃度測定電極を示す斜視図。
【図２】同実施形態のイオン濃度測定電極の部分断面図。
【図３】同実施形態のイオン濃度測定電極を示す六面図。
【図４】同実施形態のイオン濃度測定電極をホルダに取り付けた状態を示す図。
【図５】変形実施形態のイオン濃度測定電極を示す六面図。
【図６】変形実施形態のイオン濃度測定電極を示す正面図。
【発明を実施するための形態】
【００１４】
以下に本発明の一実施形態について図面を参照して説明する。
【００１５】
本実施形態に係るイオン濃度測定電極１００は、サンプル中の例えば水素イオン濃度等の所定イオン濃度を測定するための例えばｐＨ電極等のイオン選択性電極２１を有するものであり、本実施形態では、イオン選択性電極２１の他、参照電極２２及び温度補償電極２３を一体に有する複合電極である。なお、このイオン濃度測定装置１００は、そのケーブル３が外部の図示しないイオン濃度測定装置本体に接続されることによって、サンプル中の所定のイオン濃度が表示される。
【００１６】
具体的にこのものは、図１〜図３に示すように、軸方向一端４ａから電極部２が延出し、軸方向他端４ｂから信号取得用の電気ケーブル３が延出した本体部４を有するものである。
【００１７】
電極部２は、特に図２に示すように、イオン選択性電極２１と、参照電極２２と、温度補償電極を構成する温度検出素子２３と、それらを収容するガラス製支持管２４とを有する。ガラス製支持管２４の外観形状は、本体部４側から先端部側に亘って滑らかに連なる曲面形状をなすものであり、具体的には、直円柱形状をなし、その先端部が円柱と同一径を有する半球ドーム形状をなすものである。なお温度検出素子２３は、温度に応じた電気信号を出力するものである。
【００１８】
ガラス製支持管２４内部は、イオン選択性電極２１を収容するイオン選択性電極収容部Ｓ１と、参照電極２２及び温度検出素子２３を収容する参照電極収容部Ｓ２とに区画されている。イオン選択性電極収容部Ｓ１及び参照電極収容部には、内部液として例えばｐＨ７のＫＣｌ溶液が充填してある。
【００１９】
そして図１及び図２等に示すように、ガラス製支持管２４の先端部側側面には、前記参照電極収容部Ｓ２に連通するように液絡部２４１が設けられている。またガラス製支持管２４の先端部における半球ドーム形状部分がガラス応答膜２４２である。さらに、ガラス製支持管２４の基端部には、参照電極収容部Ｓ２内に内部液を注液するための注液口２４３が設けられている。なお、この注液口２４３は、円環状のゴム栓２５により塞がれる。この円環状のゴム栓２５は、ガラス製支持管２４の外側周面に外嵌するとともに、ゴム栓２５の内面から内側に突出した突起栓２５１が前記注液口２４３に嵌ることによって注液口２４３を封止する。また参照電極収容部Ｓ２は、図２に示すように、外観形状が直円柱形状をなすガラス製支持管２４の外側周壁全体よりも内側に形成されている。つまり参照電極収容部Ｓ２を設けてもガラス製支持管２４の外側周壁には凹凸が形成されない構造である。具体的には、参照電極収容部Ｓ２を形成するガラス製支持管２４の外側周壁の外径と、ガラス製支持管２４の先端部における半球ドーム形状部分（ガラス応答膜２４２）の外径とは同一となるように形成されている。
【００２０】
この電極部２においてイオン選択性電極２１、参照電極２２及び温度検出素子２３には、それぞれリード線が接続してあり、それらリード線はケーブル３に接続されて、本体部４の軸方向他端から外部に延出しイオン濃度測定装置本体に接続される。そして、このような構成の電極部２を、ｐＨ等のイオン濃度を求めたいサンプルに浸漬又は接触させると、内部液とサンプルとの間にｐＨ等のイオン濃度の差に応じた起電力が生じ、その起電力が、イオン選択性電極２１と参照電極２２との電位差となって表れる。この起電力は温度によって変動するため、前記イオン濃度測定装置本体は、その電位差に加えて、前記温度検出素子２３の出力信号値をパラメータとして、サンプルのｐＨ等のイオン濃度を補正演算して表示する。
【００２１】
そして本体部４は、図２及び図３に示すように、その外観形状が、軸方向一端４ａから軸方向他端４ｂに亘って滑らかに連なる曲面形状をなすものである。つまり、本体部４の外観形状は湾曲面を有する流線形状をなすものであり、本体部４の外側周面は、内部液やサンプル液が付着した場合に拭き取りやすくするため、凹凸構造を有さないように構成されている。つまり、本体部４の外側周面は、液溜まりを排除した形状である。
【００２２】
より詳細に本体部４は、軸方向中央部４ｃが最も外径が大きく構成されており、その軸方向中央部４ｃから軸方向一端４ａに行くに従って徐々に窄まる曲面形状を有する。つまり、軸方向中央部４ｃは、電極部２（具体的にはガラス製支持管２４）の外径（断面輪郭形状）よりも大きい外径（断面輪郭形状）を有し、その外径から電極部２の外径に近づくように縮径して窄まる曲面形状である。このように軸方向一端４ａの外径が電極部２の外径に近づくように窄まる形状とすることによって、本体部４と電極部２との境界に形成される段部を可及的に小さくするようにしている。これにより、その段部に内部液やサンプル液が溜まりにくい形状としている。
【００２３】
また、軸方向中央部４ｃから軸方向一端４ａに行くに従って徐々に窄まる形状としていることから、図４に示すように、電極ホルダ５の支持孔５ｈの内面がテーパ面である場合に、イオン濃度測定電極１００を支持孔５ｈ内に挿入するだけで、支持孔５ｈに本体部４が嵌合して、電極ホルダ５にイオン濃度測定電極１００を支持させることができる。
【００２４】
また本体部４は、軸方向中央部４ｃから軸方向他端４ｂに行くに従って徐々に窄まる曲面形状を有する。つまり、軸方向中央部４ｃは、ケーブル３の外径（断面輪郭形状）よりも大きい外径（断面輪郭形状）であり、その外径からケーブル３の外径に近づくように縮径するように窄まる曲面形状である。本実施形態では、ケーブル３が２本束ねて形成された縦寸法よりも横寸法が大きい形状であり、軸方向他端面の形状は楕円形状をなすように構成されている。このように、軸方向他端４ｂの外径がケーブル３の外径に近づくように窄まる形状とすることによって、本体部４の軸方向他端面においてケーブル３が延出する開口以外の部分の面積を可及的に小さくするようにしている。これにより、軸方向他端面に塵が溜まりにくい形状としている。
【００２５】
さらに本体部４は、ケーブル３が延出する端部４１が柔軟性を有する部材から構成されている。つまり、本体部４の軸方向他端４ｂから軸方向の所定位置Ａまでが柔軟性を有する部材から構成されている。一方、それ以外の部分、つまり、前記所定位置Ａから軸方向一端４ａまでは、柔軟性を有さない硬い部材から構成されている。なお、図２において点線で示す部分が所定位置Ａであり、点線より上部が端部４１である。このように本体部４の軸方向他端４ｂから所定位置Ａまでを柔軟性を有する部材で構成していることから、イオン濃度測定電極１００を操作する際にケーブル３の延出部に過度の応力がかかることを防止している。
【００２６】
このように構成した本実施形態に係るイオン濃度測定電極１００によれば、本体部４の外観形状が軸方向一端４ａから軸方向他端４ｂに亘って滑らかに連なる曲面形状であるので、本体部４に余計や凹凸や継ぎ目等の凹凸の無い形状であり、本体部４に付着した液や塵を拭き取り除去し易くすることができる。また、滑らかな曲面形状であることから、ユーザが手に持った際に凹凸の角部が指に当たり持ちにくいといったこともなく、イオン濃度測定用電極１００を持ちやすくすることができる。さらに本体部４が滑らかな曲面形状であることから、ユーザが視覚的に美しく清潔感を感じることができ、購買意欲を向上させることもできる。
【００２７】
なお、本発明は前記実施形態に限られるものではない。
【００２８】
例えば、図５に示すように、本体部４が、測定電極１００の識別ラベル４Ｌを張り付けるための貼り付け凹部４Ｍを有するものであっても良い。この場合、本体部４は、識別ラベル４Ｌを前記貼り付け凹部４Ｍに貼り付けた状態で、本体部４の外観形状が軸方向一端４ａから軸方向他端４ｂに亘って滑らかに連なる曲面形状をなす。つまり、貼り付け凹部４Ｍの深さ寸法と、識別ラベル４Ｌの厚さ寸法が実質的に同一であり、また、貼り付け凹部４Ｍの開口形状と識別ラベル４Ｌの平面形状とが実質的に同一である。このようなものであれば、本体部４に識別ラベル４Ｌを貼り付けることで、イオン濃度測定電極１００を識別できるだけでなく、前記実施形態の効果も奏する。
【００２９】
また、前記実施形態では、本体部４は一体ものであったが、図６に示すように、本体部４を軸方向に２つ以上の部分に分割可能に構成しても良い。なお図６は２分割する場合を示した図である。このときの分割態様としては、前記実施形態の図２に示す所定位置Ａで図示しないコネクタにより、本体部４を軸方向他端側の端部４１とそれ以外の部分４２とに分割可能に構成することが考えられる。このとき、分割した他端４１とそれ以外の部分４２との材質を異ならせることによって、端部４１のみを柔軟性を有する材質で構成することが容易になる。その他、本体部４の中央部で２分割する等の種々の態様が考えられる。図６では２分割する場合について図示したが、３分割以上に分割するようにしても良い。このようなものであれば、電極部２が故障した場合などに電極部２のみを交換することができる。また、このように交換可能に構成した場合であっても本体部４は軸方向一端４ａから軸方向他端４ｂに亘って滑らかに連なる曲面形状をなすように構成している。
【００３０】
さらに前記実施形態の電極部の外観形状が直円柱形状をなすものであったが、これに限られず、例えば電極部の外観形状が、本体部側に設けられた大径部と当該大径部の先端部に連続して設けられた小径部とを有するものであっても良い。
【００３１】
その上、前記実施形態の電極部は、イオン選択性電極、参照電極及び温度補償電極からなる複合電極であったが、その他、イオン選択性電極のみからなるもの、イオン選択性電極及び参照電極からなるものであっても良い。
【００３２】
加えて、電極部としては、複合電極などのガラス電極の他、イオン感応膜でゲートを覆ったＦＥＴであるＩＳＦＥＴ（Ion Sensitive Field Effect Transistor）と、このＩＳＦＥＴを先端部に支持する支持部材とを有するものであっても良い。
【００３３】
その他、本発明は前記実施形態に限られず、その趣旨を逸脱しない範囲で種々の変形が可能であるのは言うまでもない。
【符号の説明】
【００３４】
１００・・・イオン濃度測定電極
２    ・・・電極部
３    ・・・ケーブル
４    ・・・本体部
４ａ  ・・・軸方向一端
４ｂ  ・・・軸方向他端
４ｃ  ・・・軸方向中央部
４Ｌ  ・・・識別ラベル
４Ｍ  ・・・貼り付け凹部
【図１】
2012211871.tif 000003
【図２】
2012211871.tif 000004
【図３】
2012211871.tif 000005
【図４】
2012211871.tif 000006
【図５】
2012211871.tif 000007
【図６】
2012211871.tif 000008